(57)【要約】  本発明は、テレビ又はコンピュータディスプレイなどのディスプレイのためのリムシステムに関する。制御可能な光源が、内面及び外面並びに前面及び背面を有する光導体であって、前記光源によって放射される入射光を案内するのに適する光導体内へ少なくとも１つの波長の光線を放射するのに用いられる。前記光導体は、前記光が前記光導体の前記前面から抽出されるように前記光導体内で案内される前記光と相互に作用するためのアウトカップリング構造部を有する。前記光源は、前記光導体内から前記内面及び前記外面に到達する前記放射される光線が前記内面及び前記外面に対して斜めの角度の下では反射されるように、前記光導体に結合される。
2010511199.tif 000002
【特許請求の範囲】
【請求項１】
ディスプレイのためのリムシステムであり、
-  少なくとも１つの波長の光線を放射するのに適する少なくとも１つの制御可能な光源と、
-  内面及び外面並びに前面及び背面を有する光導体であり、前記光源によって放射される入射光線を案内するのに適する光導体であって、前記光線が前記光導体の前記前面から抽出されるように前記光導体内で案内される前記光線と相互に作用するためのアウトカップリング構造部を含む光導体と、を有するリムシステムであって、
前記少なくとも１つの制御可能な光源が、前記光導体内から前記内面及び前記外面に到達する前記放射される光線が、前記内面及び前記外面に対して斜めの角度の下では反射されるように、前記光導体に結合される、リムシステム。
【請求項２】
前記光導体の前記背面に隣接して配置される光反射手段を更に有する、請求項１に記載のリムシステム。
【請求項３】
前記光導体の前記内面若しくは前記外面、又はそれらの組み合わせに、光反射手段が設けられる、請求項１に記載のリムシステム。
【請求項４】
前記光反射手段が、
-  鏡、
-  金属被覆、
-  多層誘電材料のグループから選択される、請求項３に記載のリムシステム。
【請求項５】
前記光導体が、前記光導体を囲む隣接媒体の屈折率より大きい屈折率を持つ透明なプラスチック材料又はガラスで作成され、前記少なくとも１つの制御可能な光源が、前記光導体の前記内面及び前記外面に到達する前記放射される光線が全反射されるように、前記リムシステムに結合される、請求項１に記載のリムシステム。
【請求項６】
前記少なくとも１つの制御可能な光源が、ＬＥＤを有する、請求項１に記載のリムシステム。
【請求項７】
前記少なくとも１つの制御可能な光源が、ＬＥＤを有し、前記システムが、異なる波長を持つ少なくとも２つのＬＥＤが結合される第１端部と、前記光導体に結合される第２端部とを含む光混合器を更に有し、２つ以上の前記ＬＥＤと、前記第１端部との間の構成が、前記光が、前記第２端部を介して前記光導体に伝導される前に前記光導体内で重なり合うような構成である、請求項１に記載のリムシステム。
【請求項８】
前記光導体の前記内面若しくは前記外面、又はそれらの組み合わせが、くさび形構造部の繰り返しであって、少なくとも１つの光源が組み込まれる前記光導体の反対側に関して前記構造部の上部に溝を有するくさび形構造部の繰り返しによって形成され、前記溝における前記光源の構成が、前記光源からの前記放射される光が、前記くさび形状構造部の少なくとも１つの隣接面で前記光導体内へ反射されるような構成である、請求項１に記載のリムシステム。
【請求項９】
前記光導体の前記内面若しくは前記外面、又は前記内面及び前記外面の両方の形状が、第１面及び第２面の繰り返しによって形成される階段状構造部によって形成され、前記少なくとも１つの光源の配置が、前記第１面又は前記第２面への前記光源の取り付けを有する、請求項１に記載のリムシステム。
【請求項１０】
前記リムシステムが、
-  入力ビデオ信号又は前記ディスプレイから色情報を決定するための少なくとも１つの画像分析器と、
-  検出される前記色情報を利用して、前記ＬＥＤからの発光色を、前記発光色が前記ディスプレイの周辺部における検出色に対応するように制御するための制御ユニットと、を更に有する、請求項１に記載のリムシステム。
【請求項１１】
前記リムシステムが、
-  現在の画像フレームの色情報を決定するための少なくとも１つの画像分析器と、 
-  決定される前記色情報を利用して、前記画像フレームにおける現在の画像を少なくとも前記光導体まで拡張するための制御ユニットと、を更に有する、請求項１に記載のリムシステム。 
【請求項１２】
前記リムシステムが、
-  所定の量の画像フレームを記憶するためのメモリと、  
-  前記ディスプレイへの前記画像フレームの送信を遅延させるための遅延機構と、 
-  記憶される前記画像フレームから色情報を決定するための画像分析器と、
-  決定される前記色情報を利用して、前記画像フレームを表示するときに、前記画像を少なくとも前記光導体まで拡張するための制御ユニットと、を更に有する、請求項１に記載のリムシステム。
【請求項１３】
前記リムシステムが、
-  入力ビデオ信号又は前記ディスプレイから色情報を決定するための少なくとも１つの画像分析器と、
-  環境の色情報を検出するための少なくとも１つの環境分析器と、
-  検出される前記ディスプレイ及び環境の色情報を利用して、前記少なくとも１つの光源からの発光色を、前記発光色が前記ディスプレイ及び前記環境の色情報に適合されるように制御するための制御ユニットと、を更に有する、請求項１に記載のリムシステム。
【請求項１４】
前記光導体が、一緒に取り付けられる２つ以上のサブ光導体を有する、請求項１に記載のリムシステム。
【請求項１５】
前記アウトカップリング構造部が、白色塗料の点のアレイ、溝のアレイのグループから選択される、請求項１に記載のリムシステム。
【請求項１６】
前記リムシステムが、前記環境の方へ前記リムシステムから遠くに光を放射するための、前記光導体の前記外面に配置される制御可能なAmbilight光源を更に有する、請求項１に記載のリムシステム。
【請求項１７】
ディスプレイシステムであって、前記ディスプレイシステムの周辺部に取り付けられる請求項１に記載のリムシステムを有するディスプレイシステム。
【請求項１８】
前記ディスプレイシステムが、テレビモニタ又はコンピュータモニタを有する、請求項１７に記載のディスプレイシステム。
【請求項１９】
前記テレビモニタ又は前記コンピュータモニタが、前記モニタ周辺の環境に光を投影するよう適合される１つ以上の制御可能なAmbilight光源を更に有する、請求項１８に記載のディスプレイシステム。
【発明の詳細な説明】
【技術分野】
【０００１】
本発明は、ディスプレイのためのリムシステムに関し、ディスプレイシステムであって、前記ディスプレイシステムの周辺部に取り付けられる前記リムシステムを有するディスプレイシステムに関する。
【背景技術】
【０００２】
Ambilightは、テレビを見るときに、テレビ画面の境界外に画像を拡張するために周囲照明を利用することによって、視聴経験を高める概念である。この概念は、最近、市場に導入され、この特徴を備えているハイエンドのＬＣＤの販売にものすごくプラスの効果を持つことが分かった。
【０００３】
現在、例えば、テレビセットの後ろに位置するＣＣＦＬ（冷陰極蛍光）ランプなどの低圧ガス放電ランプを用いて実施されるようなAmbilightの概念においては、画像の拡張部は、テレビの後ろの壁に投影される。各ランプは、ディスプレイの後ろの壁に（又はディスプレイに取り付けられる専用の拡散反射若しくは拡散透過スクリーンに）光の「ピクセル」を作成するとみなされ得る。ランプの各々の強度は、独立して変えられることができ、或る一定のアルゴリズムに従う実際のビデオ情報から得られる。原則として、これはフレームごとに行われる。
【０００４】
既存のAmbilightテレビセットにおいては、ディスプレイによって生成される画像と、テレビの後ろの壁上のAmbilight画像とは、結合されず、ディスプレイのリムによって中断される。これは、長時間視聴による疲労を容易にもたらし得る。
【０００５】
国際特許出願公開第ＷＯ０１／１７２４０号は、青色光源を有するフレームであって、これらの光源の強度が遠隔制御されるフレームを開示する。この参考文献は、テレビ画像視聴中の疲労低減の効果的な方法を目的とする。この発明は、青色光が、動脈圧の低下、脈拍数の減少といった生理的効果を持つという事実に基づく(G.P. Popov, "Engineering psychology in radiolocation", モスクワ, 1971 (ロシア))。表示画像の明るさ及び周囲光の強度が、分析され、その結果に従って、外部照明の明るさが、遠隔制御によって又は自動的に制御される。光源は、スクリーンにおける画像のフレア(flaring)の発生を防止するように配置される。この参考文献においては、画面の周辺部によって生成される照明パターンは、周囲光の明るさ又は遠隔制御装置からの入力にしか応答しない。前記照明パターンは、画面によって表示される情報には応答しない。周囲照明条件が変わらない場合には、照明パターンは、強度及び色において変化しない。
【発明の概要】
【発明が解決しようとする課題】
【０００６】
本発明の目的は、一様な光を放射するよう適合されるディスプレイのためのリムシステムを提供することにある。本発明の目的は、更に、前記リムシステムを有するディスプレイシステムの提供に関する。
【課題を解決するための手段】
【０００７】
或る態様によれば、本発明は、ディスプレイのためのリムシステムであって、
-  少なくとも１つの波長の光線を放射するのに適する少なくとも１つの制御可能な光源と、
-  内面及び外面並びに前面及び背面を有する光導体であり、前記光源によって放射される入射光線を案内するのに適する光導体であって、前記光線が前記光導体の前記前面から抽出されるように前記光導体内で案内される前記光線と相互に作用するためのアウトカップリング構造部を含む光導体と、を有するリムシステムであって、
前記少なくとも１つの制御可能な光源が、前記光導体内から前記内面及び前記外面に到達する前記放射される光線が前記内面及び前記外面に対して斜めの角度の下では反射されるように、前記光導体に結合されるリムシステムに関する。
【０００８】
斜めの角度で前記光導体の前記内面及び前記外面に当たる光は、前記光導体の反対側の部位の方へ反射されるようになることから、このようにして、前記光は、そこから外へ結合される前に、前記光導体内でより長い距離を進むであろう。これは、前記光導体の外へ結合される前記光の一様性が非常に良くなることをもたらすであろう。それの他の利点は、より少ない光源しか必要とされず、且つ／又は前記アウトカップリング構造部の密度が非常に小さくなり得ることにある。
【０００９】
或る実施例においては、前記リムシステムは、前記光導体の前記背面に隣接して配置される光反射手段を更に有する。
【００１０】
したがって、前記光導体から、偶発的に、前記前面ではなく前記背面から外へ反射される光は全て、前記光導体内へ反射し戻され、前記前面から外へ反射されるであろう。
【００１１】
或る実施例においては、前記光導体の前記内面若しくは前記外面、又はそれらの組み合わせに、光反射手段が設けられる。
【００１２】
その方法では、前記光導体内から前記光導体の前記面に到達する前記光線の大部分が、前記光導体内へ反射し戻されるであろうことが確実になる。したがって、ごくわずかな量の光しか、前記面から前記光導体の外へ伝導されないであろう。
【００１３】
或る実施例においては、前記光反射手段は、
-  鏡、
-  金属被覆、
-  多層誘電材料のグループから選択される。
【００１４】
或る実施例においては、前記光導体は、前記光導体を囲む隣接媒体の屈折率より大きい屈折率を持つ透明なプラスチック材料又はガラスで作成され、前記少なくとも１つの制御可能な光源は、前記光導体の前記内面及び前記外面に到達する前記放射される光線が全反射されるように、前記リムシステムに結合される。
【００１５】
それによって、前記光反射手段は必要とされず、前記光が、前記アウトカップリング構造部と相互に作用するまで、光ファイバーケーブルの場合と同様に前記光導体内に維持されるであろうことを確実にするために、全内部反射の法則が実施されるであろう。
【００１６】
或る実施例においては、前記少なくとも１つの制御可能な光源は、発光ダイオード（ＬＥＤ）を有する。
【００１７】
それ故、図に向かう前記放射される光が、一様になる、又は「ピクセルで構成されている」ようになるようにＬＥＤによって照明される平らで薄い面（光導体）を実現することが可能である。
【００１８】
或る実施例においては、前記少なくとも１つの制御可能な光源は、発光ダイオード（ＬＥＤ）を有し、前記システムは、異なる波長を持つ少なくとも２つのＬＥＤが結合される第１端部と、前記光導体に結合される第２端部とを含む光混合器を更に有し、２つ以上の前記ＬＥＤと、前記第１端部との間の構成は、前記光が、前記第２端部を介して前記光導体に伝導される前に前記光導体内で重なり合うような構成である。
【００１９】
前記ＬＥＤは、ほぼ点状の光源であることから、例えば白色光が必要とされる場合に、前記光を生成し、前記光導体内に入る前に混合することが可能であろう。その方法では、異なる色の前記光は、前記光導体内に伝導される前にすでに混合されている。
【００２０】
或る実施例においては、前記光導体の前記内面若しくは前記外面、又はそれらの組み合わせは、くさび形構造部の繰り返しであって、少なくとも１つの光源が組み込まれる前記光導体の反対側に関して前記構造部の上部に溝を有するくさび形構造部の繰り返しによって形成され、前記溝における前記光源の構成は、前記光源からの前記放射される光が、前記くさび形状構造部の少なくとも１つの隣接面で前記光導体内へ反射されるような構成である。
【００２１】
或る実施例においては、前記光導体の前記内面若しくは前記外面、又は前記内面及び前記外面の両方の形状は、第１面及び第２面の繰り返しによって形成される階段状構造部によって形成され、前記少なくとも１つの光源の配置は、前記第１面又は前記第２面への前記光源の取り付けを有する。
【００２２】
或る実施例においては、前記リムシステムは、
-  入力ビデオ信号又は前記ディスプレイから色情報を決定するための少なくとも１つの画像分析器と、
-  検出される前記色情報を利用して、前記ＬＥＤからの発光色を、前記発光色が前記ディスプレイの周辺部における検出色に対応するように制御するための制御ユニットと、を更に有する。
【００２３】
その方法では、前記ディスプレイの周辺部において検出される光は、直接前記光導体に変換されるであろう。
【００２４】
或る実施例においては、前記リムシステムは、
-  現在の画像フレームの色情報を決定するための少なくとも１つの画像分析器と、
-  決定される前記色情報を利用して、前記画像フレームにおける現在の画像を少なくとも前記光導体まで拡張するための制御ユニットと、を更に有する。
【００２５】
或る実施例においては、前記リムシステムは、
-  所定の量の画像フレームを記憶するためのメモリと、
-  前記ディスプレイへの前記画像フレームの送信を遅延させるための遅延機構と、
-  記憶される前記画像フレームから色情報を決定するための画像分析器と、-    決定される前記色情報を利用して、前記画像フレームを表示するときに、前記画像を少なくとも前記光導体まで拡張するための制御ユニットと、を更に有する。
【００２６】
それによって、前記ディスプレイ上に表示される前記画像をフレーム構造部まで拡張することが可能である。このようにして、前記フレーム構造部は、前記ディスプレイの拡張部の役割を果たす。
【００２７】
或る実施例においては、前記リムシステムは、
-  入力ビデオ信号又は前記ディスプレイから色情報を決定するための少なくとも１つの画像分析器と、
-  環境の色情報を検出するための少なくとも１つの環境分析器と、
-  検出される前記ディスプレイ及び環境の色情報を利用して、前記少なくとも１つの光源からの発光色を、前記発光色が前記ディスプレイ及び前記環境の色情報に適合されるように制御するための制御ユニットと、を更に有する。
【００２８】
その方法では、前記環境及び前記ディスプレイの周辺部において検出される光が、直接前記光導体に変換され、それによって、実際の前記ディスプレイに表示される情報エンターテイメントと、例えば、前記ディスプレイの後ろに位置する壁に、投影されるAmbilight情報エンターテイメントとの間に円滑な遷移を可能にする。
【００２９】
或る実施例においては、前記光導体は、一緒に取り付けられる２つ以上のサブ光導体を有する。
【００３０】
それによって、前記光導体をよりピクセルのようにするサブ光導体のアレイが形成され得る。
【００３１】
或る実施例においては、前記アウトカップリング構造部は、白色塗料の点のアレイ、溝のアレイのグループから選択される。
【００３２】
或る実施例においては、前記リムシステムは、前記環境の方へ前記リムシステムから遠くに光を放射するための、前記光導体の前記外面に配置される制御可能なAmbilight光源を更に有する。
【００３３】
このようにして、前記ディスプレイと前記環境との間に「隙間」が形成されないように、前記実際のディスプレイに表示される環境情報エンターテイメントを、前記環境、例えば、前記ディスプレイの後ろに位置する壁まで、連続的なようにして拡張することができるリムシステムが供給される。
【００３４】
別の態様によれば、本発明は、前記ディスプレイの周辺部に取り付けられる前記リムシステムを有するディスプレイシステムに関する。
【００３５】
或る実施例においては、前記ディスプレイシステムは、テレビモニタ又はコンピュータ画面モニタを有する。
【００３６】
或る実施例においては、前記テレビモニタ又は前記コンピュータ画面モニタは、前記モニタ周辺の環境に光を投影するよう適合される１つ以上の制御可能なAmbilight光源を更に有する。
【００３７】
本発明の前記態様は、各々、他の態様のいずれかと組み合わされ得る。下記の実施例を参照して、本発明のこれら及び他の態様を説明し、明らかにする。
【００３８】
本発明の実施例を、ほんの一例として、図面を参照して記載する。
【図面の簡単な説明】
【００３９】
【図１】本発明によるディスプレイのためのリムシステムを示す。
【図２】ディスプレイの情報エンターテイメントの前記リムシステムによる環境への拡張をグラフィカルに図示する。
【図３】光導体の一実施例の上面／側面図を示す。
【図４】本発明による光導体の実施例を示す。
【図５】本発明による光導体の実施例を示す。
【図６】本発明による光導体の実施例を示す。
【図７】本発明による光導体の実施例の断面を示す。
【図８】本発明による光導体の実施例の断面を示す。
【図９】２つ以上のＬＥＤ（又は光源）が結合される入口を持つ光混合器の一例を示す。
【図１０】本発明によるリムシステムの実施例を示す。
【図１１】本発明によるリムシステムの実施例を示す。
【図１２】本発明によるリムシステムの実施例を示す。
【発明を実施するための形態】
【００４０】
図１は、少なくとも１つの波長の光線１２０を放射するのに適する少なくとも１つの制御可能な光源１０２と、光源１０２によって放射される入射光を案内するのに適する、内面１０６及び外面１０７並びに前面１０８及び背面１０９を有する光導体１０１と、を有するディスプレイ１０５、例えばＬＣＤ又はＰＤＰのためのリムシステム１００を示している。この光導体１０１は、光が光導体１０１の前面１０８から抽出されるように、光導体１０１内で案内される光と相互に作用するためのアウトカップリング構造部１０３を有する。或る実施例においては、アウトカップリング構造部は、白色塗料の点のアレイ及び／又は溝のアレイのグループから選択される。少なくとも１つの制御可能な光源は、光源１０２によって放射され、光導体１０１内から内面１０６及び／又は外面１０７に到達する光線１２０が、内面及び外面に対して斜めの角度１１９の下で反射されるように、光導体に結合される。
【００４１】
或る実施例においては、光導体１０１の屈折率は、光導体を囲む隣接媒体の屈折率より大きい。それによって、光反射手段は必要とされず、光が、アウトカップリング構造部１０３と相互に作用するまで、光ファイバーケーブルの場合と同様に光導体内に維持されるであろうことを確実にするために、全内部反射の法則が実施されるであろう。
【００４２】
これが必要とされない別の実施例においては、光線１２０を光導体内に維持するために、光導体の内面１０６及び外面１０７に、光反射手段１２１、１２２、例えば、鏡、金属被覆、多層誘電材料などが設けられる。したがって、光線１２０が光導体１０１の外へ伝導される唯一の可能性は、それがアウトカップリング構造部１０３と相互に作用するときである。
【００４３】
或る実施例においては、光源１０２は、各々のダイオードが少なくとも１つの波長の光を放射するのに適する発光ダイオード（ＬＥＤ）を有する。放射される波長は、例えば、青色、緑色及び赤色であってもよい。ＬＥＤは、１つ以上の波長の光を放射するよう適合されてもよく、これは、同一のＬＥＤが、例えば、赤色、緑色及び青色の光を放射することを意味する。ＬＥＤが１つの波長だけの光を放射する場合には、或るグループは赤色光を放射し、或るグループは緑色光を放射し、或るグループは青色光を放射することが好ましい。好ましくは、前記赤色光、青色光及び緑色光を放射するＬＥＤは、光の混合を可能にするために互いに隣接して又は局在化領域に一緒に配設される。一例として、ＬＥＤが、図１に示されているようなフレーム構造部に沿って配設される場合には、ＬＥＤが、一連の赤色、緑色及び青色のＬＥＤの繰り返しを形成することは好ましいかもしれない。光の混合は、図９に示されているような光混合器を用いることによっても得られ得る。このことについては、後でより詳細に述べる。
【００４４】
或る実施例においては、システム１００は、ディスプレイ上の表示画像から色情報を決定するために入力ビデオ信号又はディスプレイを分析するための少なくとも１つの画像分析器１０４ａを更に有する。ここで示されている実施例においては、画像分析器１０４ａは、ディスプレイ１０５の周辺部における表示色情報を検出するために光導体１０１の内面１０６に位置し、制御ユニット（Ｃ＿Ｕ）１１４が、検出される色情報を利用して、ＬＥＤ１０２からの発光色を、ＬＥＤからの発光色がディスプレイ１０１の周辺部における検出色に対応するように制御する。このようにして、周辺部の色は、光導体１０１まで拡張されるであろう。このような画像分析器は、どんな色及び輝度を光導体の各ピクセルに送信すべきかを例えばビデオコンテンツから決定するよう適合される、従来技術から既知のアルゴリズムを有する。
【００４５】
或る実施例においては、画像分析器１０４ａは、現在の画像において色情報を分析するよう適合され、制御ユニット（Ｃ＿Ｕ）１１４は、フレーム構造部が表示画像１０５の拡張部の役割を果たすように画像フレームにおける現在の画像を少なくとも光導体１０１まで拡張するために、決定される色情報を利用する。画像の拡張部についての予測をするために分析画像を処理することが必要とされるかもしれない。したがって、画像の処理及び光導体への拡張は、ほぼリアルタイムに行われる。
【００４６】
或る実施例においては、システムは、所定の量の画像フレームを記憶するためのメモリ１１０と、画像フレームのディスプレイ１０５への送信を遅延させるための遅延機構（Ｄ＿Ｍ）１１１と、を更に有する。この実施例においては、前記画像分析器１０４ａは、記憶される画像フレームの色情報を決定するのに用いられ得る。その場合、制御ユニット（Ｃ＿Ｕ）１１４は、決定される色情報を、画像フレーム１０５を表示するときに画像を少なくとも光導体１０１まで拡張するために利用する。したがって、画像の処理及び光導体への拡張は、幾らか遅延して行われる。
【００４７】
或る実施例においては、リムシステム１００は、例えば、好ましくは画像分析器１０４ａのほぼ反対側のような、光導体の外面に配設され得る、環境の色情報を検出するための少なくとも１つの環境分析器（Ａ＿Ａ）１０４ｂを更に有する。制御ユニット（Ｃ＿Ｕ）１１４は、検出されるディスプレイ及び環境の色情報を、ＬＥＤ１０２からの発光色を、発光色がディスプレイ１０５及び環境の色情報に適合されるように、制御するために利用する。このようにして、環境及びディスプレイ１０５の周辺部において検出される光は、直接光導体１０１に変換され、それによって、実際のディスプレイ１０５に表示される情報エンターテイメントと、例えば、ディスプレイの後ろに位置する壁に、投影されるAmbilight情報エンターテイメントとの間に円滑な遷移を可能にする。
【００４８】
光導体１０１は、ＰＭＭＡなどの透明なプラスチック材料で作成されてもよいが、ガラスなどの他の種類の材料が用いられてもよい。或る実施例においては、光導体１０１の厚さは2mm以下である。しかしながら、2mmを上回る厚さも可能である。
【００４９】
或る実施例においては、アウトカップリング構造部１０３のパターンを生成するために、例えばＰＭＭＡに微細な点を形成するためにサンドブラスティングが用いられる。したがって、点が、拡散器の役割を果たし、光をアウトカップルする。点の直径は、だいたい均一な分布を確実にするように光導体の全面にわたって変化し得る。これは、点が、ＬＥＤの近くでは小さく、ＬＥＤから遠く離れるほど大きくなることを意味し得る。
【００５０】
また、白色塗料の拡散又は反射点の微細なパターンを作成するためにシルクスクリーニングが用いられてもよい。この方法の利点は、それが非常に経済的であるということである。
【００５１】
更に、光源は、もちろん、光導体１０１の（左側及び右側だけでなく）上側及び下側に、又は光導体の上側及び下側だけに、又は光導体の内面１０６及び外面１０７の両方に、位置し得ることに留意されたい。
【００５２】
更に、ここで示されているアウトカップリング構造部１０３は、所定のパターンを全く持たない。上記のように、例えば光導体１０１のサイズ／寸法に応じて、様々なタイプのパターン、例えばマトリックスのようなパターンが実施され得る。
【００５３】
図２は、ディスプレイ１０５の情報エンターテイメントのリムシステム１００による環境２０２、例えばディスプレイ１０５の後ろの壁への前記拡張をグラフィカルに図示している。この場合には、ディスプレイは、例えば高解像度を有するテレビ画面又はコンピュータ画面であってもよく、光導体１０１は、一般に中間の解像度を持ち、環境、例えばテレビセットの後ろの壁は、低解像度を持つ。比較のために、従来技術のディスプレイ２０１が示されている。ここで図示されているように、光導体から環境への画像の拡張は、情報エンターテイメントの拡張の役割を果たす。
【００５４】
図３は、アウトカップリング構造部１０３も示す光導体１０１の一実施例の上面／側面図を示している。この実施例においては、光反射手段３００が、設けられ、光導体の背面に隣接して配置される。これは、偶発的に、前面１０８ではなく背面１０７から、光導体から外へ反射される光が、光導体内へ反射し戻され、前面から外へ反射されるであろうことを防止するためである。光反射手段３００は、例えば、鏡、金属被覆、多層誘電材料などを有し得る。
【００５５】
図４は、光線１２０を放射する光源１０２及び光源が見えるのをマスクするための層（例えば拡散器）３００も示す光導体１０１の一部を示している。このような拡散器３００は、アウトカップリング構造部１０３が見えるのをマスクするためにも設けられ得る。この実施例においては、光導体１０１は、第１面３０１及び第２面３０２の繰り返しから成る反復階段状構造部を持ち、ここで、第２面の垂線は、反対側の平らな面３０４に関して角度位置３０３を持つ。光源１０２は、放射される光線１２０が前記斜めの角度の下で反対側の面３４０に当たるように、第２面３０２に取り付けられる。図５の実施例においては、同様の光導体１０１が示されているが、この実施例においては、（図４においては３０４と示されている）反対側の面が、同様の階段状構造部を持つ。
【００５６】
図６は、光導体１０１の更に別の実施例を示しており、ここで、光導体１０１の一方の面は、第１面５０１及び第２面５０２を持つ溝５０３を有する。ここで示されているように、光源は、放射される光線５０４が、最初に、光線５０４が光導体１０１内へ反射されるような角度の下で第１面５０１に当たるように、実質的に溝５０３の上に、前記面及び反対側の面に対してほぼ平行に置かれる。ここでは示されていないが、この光導体は、光源及びアウトカップリング構造部をマスクするための拡散器３００も具備し得る。
【００５７】
図７は、放射される光線７０２を光導体１０１内へ反射するために、例えば前述のようなタイプの、ほぼ平らな光反射手段７０１が、光導体の端部に置かれる本発明による光導体１０１の断面を示している。
【００５８】
図８は、光反射手段８０１が、湾曲した形状をしており、放射される光線８０２を反射する光導体１０１のこのような断面の別の実施例を示している。この実施例においては、多くのアウトカップリング構造部を有するリダイレクションフォイル８０３が設けられる。前記アウトカップリング構造部は、前記実施例においては溝８０４である光線は、溝に当たり、光導体の外へ結合されるまで、（例えば全反射の法則に基づいて）光導体内で前後に反射されるであろう。
【００５９】
図９は、２つ以上のＬＥＤ（又は光源）、例えば青色、赤色及び緑色ＬＥＤが結合される入口９０２を持つ光混合器９０１の一例を示している。ここで示されているように、ＬＥＤは、放射される光線が例えば湾曲した形状をした光反射手段９０３を介して光導体１０１内へ案内される前に光混合器内で混合されるような幾らかの角拡散を有する。ここで示されているように、光混合器は、アウトカップリング構造部が全くない光導体とみなされ得る。光混合器９０１の長さは、放射される光線が、光導体内へ反射される前に混合されることを可能にするような長さであることが好ましい。
【００６０】
図１０乃至１２は、本発明によるリムシステム１００の様々な実施例を示している。ここで、リムシステムは、一緒に取り付けられる２つ以上のサブ光導体１０１と、各々のサブ光導体に結合される、少なくとも１つの波長の光を放射する少なくとも１つの制御可能な発光ダイオード（ＬＥＤ）と、を有する。図１０においては、リムシステムは、一緒に取り付けられる２つ（以上）の対称形フレーム状光導体１０１ａ、１０１ｂで作成され、各フレームは、前記光源１０２ａ、１０２ｂを有する。図１１においては、光導体は、一緒に取り付けられる垂直光導体１０１ｃであり、図１２においては、光導体１０１は、ほぼ正方形状である。したがって、光導体をよりピクセルのようにするサブ光導体のアレイが形成され得る。
【００６１】
開示されている実施例の特定の具体的な詳細は、限定ではなく、説明の目的のために、本発明の明確且つ完全な理解を提供するために、記載されている。しかしながら、この開示の精神及び範囲から大きくは逸脱しない、本願明細書に記載されている詳細とぴったり同じではない他の実施例において、本発明が実施され得ることは、当業者には分かるであろう。更に、この文脈においては、簡潔且つ明瞭にするために、不必要な詳細及びありうる混乱を回避するために、よく知られている装置、回路及び方法の詳細な説明は省かれている。
【００６２】
請求項には参照符号が含まれているが、参照符号を含んでいるのは、ただ明確にするためであって、請求項の範囲を限定するものとして解釈されてはならない。
【図１】
2010511199.tif 000003
【図２】
2010511199.tif 000004
【図３】
2010511199.tif 000005
【図４】
2010511199.tif 000006
【図５】
2010511199.tif 000007
【図６】
2010511199.tif 000008
【図７】
2010511199.tif 000009
【図８】
2010511199.tif 000010
【図９】
2010511199.tif 000011
【図１０】
2010511199.tif 000012
【図１１】
2010511199.tif 000013
【図１２】
2010511199.tif 000014
【国際調査報告】
2010511199.tif 000015
2010511199.tif 000016
2010511199.tif 000017